(57)【要約】【課題】検査結果の誤記や誤入力または虚偽の行為を防いで検査結果の信憑性や検査したコンクリートを用いた施工の信頼性を向上する。【解決手段】検査装置で検出した測定値をデータ処理装置に送信するようにし、データ処理装置において受信した測定値をコンクリート検査表示処理プログラムによって検査結果画面として表示手段に表示する。このため、コンクリート検査において、検査項目の測定値をオペレータが入力することがないことから、検査結果の誤記や誤入力または虚偽の行為を防いで、検査結果の信憑性や検査したコンクリートを用いた施工の信頼性を向上することができる。【選択図】        図５
2008014826.tif 000002
【特許請求の範囲】
【請求項１】
フレッシュコンクリートの品質検査を行うコンクリート検査システムであって、
コンクリートの性状を示す測定値を検出し、当該測定値に予め設定した識別情報を関連付けて送信する検査装置と、
前記検査装置から測定値を受信した場合に、当該測定値に関連付いた識別情報に基づいてコンクリートの性状を認識し、表示手段に表示した検査結果画面の所定の表示領域に前記測定値を表示する処理手段を有したデータ処理装置と
を備えたことを特徴とするコンクリート検査システム。
【請求項２】
前記処理手段は、前記測定値に付帯する付帯情報が与えられた場合に、当該付帯情報と測定値とを関連付けて記憶手段に記憶し、前記付帯情報に基づく抽出指令が与えられた場合に、付帯情報に関わる測定値を前記記憶手段から抽出して前記表示手段に表示する
ことを特徴とする請求項１に記載のコンクリート検査システム。
【発明の詳細な説明】
【技術分野】
【０００１】
本発明は、例えば建設現場において生産工場（主として生コンクリート製造工場）から納入されたフレッシュコンクリートの品質検査を行うコンクリート検査システムに関するものである。
【背景技術】
【０００２】
生産工場から建設現場に納入されるフレッシュコンクリートは、購入者の指定したスランプ（あるいはスランプフロー）、空気量、塩化物量、コンクリート温度および強度値となるように製造される。そして、建設現場では、上記項目について受入検査を行うのが一般的である（例えば、特許文献１参照）。
【０００３】
通常の受入検査では、試験員が検査結果を記録用紙に記入し、これをパソコンに入力して品質変動を記録する。さらに、当該検査に現場係員が立ち会って、検査結果を所定のボード（白板や黒板）に記入し、当該ボードを現場係員が手に持って受入検査を行っている状況とともに写真撮影して記録として保管し管理する。
【０００４】
【特許文献１】特許第３７０７９９９号公報
【発明の開示】
【発明が解決しようとする課題】
【０００５】
しかしながら、建設現場での受入検査では、検査結果を記録用紙に記入したり、パソコンに入力したりする際に、誤記や誤入力する可能性がある。また、誤った検査結果をボードに記入して写真撮影すれば、検査結果と記録との整合性が取れなくなる。さらに、大規模な建設現場でコンクリートの打ち込み量が多い場合、あるいは設計基準強度に応じてコンクリートの種類が多い場合には、これに伴って受入検査の回数が多くなるため、誤記や誤入力の可能性が一層高まることになる。一方、受入検査で規格値から少々外れていても、正規の値であったかのように意図的に変えて記録する事態を防ぐことができない。よって、受入検査に対する信憑性や施工に対する信頼性が大きく損なわれるおそれがある。
【０００６】
本発明は、上記実情に鑑みて、検査結果の誤記や誤入力または虚偽の行為を防ぐことで、検査結果の信憑性や検査したコンクリートを用いた施工の信頼性を向上することができるコンクリート検査システムを提供することを目的とする。
【課題を解決するための手段】
【０００７】
上記の目的を達成するために、本発明の請求項１に係るコンクリート検査システムは、フレッシュコンクリートの品質検査を行うコンクリート検査システムであって、コンクリートの性状を示す測定値を検出し、当該測定値に予め設定した識別情報を関連付けて送信する検査装置と、前記検査装置から測定値を受信した場合に、当該測定値に関連付いた識別情報に基づいてコンクリートの性状を認識し、表示手段に表示した検査結果画面の所定の表示領域に前記測定値を表示する処理手段を有したデータ処理装置とを備えたことを特徴とする。
【０００８】
本発明の請求項２に係るコンクリート検査システムは、上記請求項１において、前記処理手段は、前記測定値に付帯する付帯情報が与えられた場合に、当該付帯情報と測定値とを関連付けて記憶手段に記憶し、前記付帯情報に基づく抽出指令が与えられた場合に、付帯情報に関わる測定値を前記記憶手段から抽出して前記表示手段に表示することを特徴とする。
【発明の効果】
【０００９】
本発明に係るコンクリート検査システムは、検査装置においてコンクリートの性状を示す測定値を検出し、当該測定値に予め設定した識別情報を関連付けて送信する。そして、データ処理装置において検査装置から測定値を受信した場合に、当該測定値に関連付いた識別情報に基づいてコンクリートの性状を認識し、表示手段に表示した検査結果画面の所定の表示領域に前記測定値を表示する。このため、コンクリート検査において、検査項目の測定値をオペレータが入力することがないことから、検査結果の誤記や誤入力または虚偽の行為を防いで、検査結果の信憑性や検査したコンクリートを用いた施工の信頼性を向上することができる。すなわち、コンクリート検査が厳格に行われることで、コンクリートの品質がより安定し、かつ良好な性状のコンクリートを得ることが可能になる。加えて、コンクリートの生産側（主として生コンクリート製造工場）では、安定した品質で性状の良好なコンクリートを生産することで、品質や性状が劣り廃棄処分するコンクリートを減少させることができる。
【発明を実施するための最良の形態】
【００１０】
以下に添付図面を参照して、本発明に係るコンクリート検査システムの好適な実施の形態を詳細に説明する。なお、この実施の形態によりこの発明が限定されるものではない。
【００１１】
図１は本発明に係るコンクリート検査システムを示す概略図である。コンクリート検査システムは、例えば生産工場から建設現場に納入されたコンクリートの受入検査を行うものであり、検査装置１とデータ処理装置２とを備えている。ここでのコンクリートは、生コンクリートを含むフレッシュコンクリートである。
【００１２】
検査装置１は、検査項目としてコンクリートの性状を示すスランプ、スランプフロー、空気量、温度の測定値、塩化物量、外気温を測定するためのもので、それぞれスランプ検査装置１１、スランプフロー検査装置１２、空気量・温度検査装置１３、塩化物量検査装置１４、外気温度検査装置１５がある。
【００１３】
図２はスランプ検査装置１１を示す概略図である。ここで、スランプ検査は、試験法で定めた手順で突きならしたコンクリートを、スランプコーン（図示せず）に入れ、基準面Ｓで当該スランプコーンを取り除いた後のコンクリートＣの頂部の高さの下がり寸法Ｈを測定値として得るものである。スランプコーンは、円錐台形の容器であり、上部開口径２００ｍｍ、底部閉口径１００ｍｍ、高さ３０ｍｍとして規格化されたものである。
【００１４】
スランプ検査装置１１は、図２に示す検査具１１１を有している。検査具１１１は、基準面Ｓに載置されるベース１１１ａ、ベース１１１ａから垂直上方に延出して設けた支柱１１１ｂ、支柱１１１ｂに対して上下に移動可能に設けたスライダ１１１ｃ、スライダ１１１ｃから水平方向に長手状に延出して設けたアーム１１１ｄによって構成してある。なお、本実施の形態における検査具１１１では、支柱１１１ｂを平行して２本備えている。
【００１５】
この検査具１１１では、アーム１１１ｄの位置がスランプコーンの高さ（３００ｍｍ）となるようにスライダ１１１ｃを支柱１１１ｂに沿って移動させる。この移動したスライダ１１１ｃの位置が原点となる。次いで、スランプコーンを取り除き、その後のコンクリートＣの頂部の高さにアーム１１１ｄの位置を合わせるようにスライダ１１１ｃを支柱１１１ｂに沿って移動させる。これにより、スライダ１１１ｃが原点から移動した距離がコンクリートＣにおける頂部の高の下がり寸法Ｈとなる。なお、アーム１１１ｄを長手状に延出して設けることで、基準面Ｓ上に広がったコンクリートＣがベース１１１ａに接触しないようにした上で、コンクリートＣの頂部の高さを正確に検出することが可能である。基準面Ｓ上に広がったコンクリートＣがベース１１１ａに接触すると、コンクリートＣの広がりが阻害されるので検出する測定値が正確でなくなる。
【００１６】
また、スランプ検査装置１１は、図１に示すように上記検査具１１１におけるスライダ１１１ｃの移動位置を検出する検出手段１１２ａ、検出手段１１２ａで検出した測定値を表示する表示手段１１２ｂ、上記検査具１１１での測定に係る検出手段１１２ａの原点セットや表示手段１１２ｂにおける表示ホールドなどの機能を入力する操作ボタン１１２ｃ、検出手段１１２ａで検出した測定値をデータとして送信する送信手段１１２ｄ、送信手段１１２ｄで送信する測定値に関連付ける識別情報（ＩＤナンバー）を設定する設定ボタン１１２ｅ、および送信を実行させる送信ボタン１１２ｆを有し、これらを制御手段１１２ｇによって制御する。
【００１７】
すなわち、スランプ検査装置１１において制御手段１１２ｇは、上記検査具１１１での測定でスライダ１１１ｃを原点位置に移動させた際に操作ボタン１１２ｃが操作された場合、検出手段１１２ａの検出位置を原点セットする。そして、制御手段１１２ｇは、スライダ１１１ｃの移動に伴って検出手段１１２ａが測定値を検出した場合に、当該測定値を表示手段１１２ｂに表示する。ここで、制御手段１１２ｇは、操作ボタン１１２ｃが操作された場合に、当該測定値の表示をホールドする。さらに、制御手段１１２ｇは、送信ボタン１１２ｆが操作された場合に、ホールドしてある測定値に予め設定した識別情報を関連付け、送信手段１１２ｄを介して当該測定値をデータとして送信する。
【００１８】
図３はスランプフロー検査装置１２を示す概略図である。ここで、スランプフロー検査は、スランプ検査と同様にスランプコーン（図示せず）を用いる。そして、試験法で定めた手順で突きならしたコンクリートを、スランプコーンに入れ、基準面Ｓで当該スランプコーンを取り除いた後のコンクリートＣの基準面Ｓでの広がり寸法Ｗを測定値として得るものである。
【００１９】
スランプフロー検査装置１２は、図３に示す検査具１２１を有している。検査具１２１は、長手状に形成したレール１２１ａ、レール１２１ａの一端部に固定してあってレール１２１ａの直交方向に長手状に延在する第一アーム１２１ｂ、レール１２１ａに対して長手方向に移動可能に設けたスライダ１２１ｃ、スライダ１２１ｃからレール１２１ａの直交方向に長手状に延在して第一アーム１２１ｂを平行で、かつレール１２１ａから同じ長さに設けた第二アーム１２１ｄによって構成してある。
【００２０】
この検査具１２１では、スライダ１２１ｃをレール１２１ａに沿って第一アーム１２１ｂ側に移動させて、第一アーム１２１ｂと第二アーム１２１ｄとが接触した位置とする。この移動したスライダ１２１ｃの位置が原点となる。次いで、スランプコーンを取り除き、その後の基準面ＳでのコンクリートＣの広がり幅に第一アーム１２１ｂと第二アーム１２１ｄとの間隔を合わせるようにスライダ１２１ｃをレール１２１ａに沿って移動させ、各アーム１２１ｂ，１２１ｄの先端を基準面Ｓに接触させる。これにより、各アーム１２１ｂ，１２１ｄの間隔がコンクリートＣにおける広がり寸法Ｗとなる。なお、第一アーム１２１ｂおよび第二アーム１２１ｄを長手状に延出して設けることで、基準面Ｓ上のコンクリートＣの頂部にレール１２１ａが接触しないようにした上で、コンクリートＣの広がり寸法Ｗを正確に検出することが可能である。基準面Ｓ上のコンクリートＣの頂部にレール１２１ａが接触すると、コンクリートＣの自然な広がりが阻害されるので検出する測定値が正確でなくなる。
【００２１】
また、スランプフロー検査装置１２は、図１に示すように上記検査具１２１におけるスライダ１２１ｃの移動位置を検出する検出手段１２２ａ、検出手段１２２ａで検出した測定値を表示する表示手段１２２ｂ、上記検査具１２１での測定に係る検出手段１２２ａの原点セットや表示手段１２２ｂにおける表示ホールドなどの機能を入力する操作ボタン１２２ｃ、検出手段１２２ａで検出した測定値をデータとして送信する送信手段１２２ｄ、送信手段１２２ｄで送信する測定値に関連付ける識別情報（ＩＤナンバー）を設定する設定ボタン１２２ｅ、および送信を実行させる送信ボタン１２２ｆを有し、これらを制御手段１２２ｇによって制御する。
【００２２】
すなわち、スランプフロー検査装置１２において制御手段１２２ｇは、上記検査具１２１での測定でスライダ１２１ｃを原点位置に移動させた際に操作ボタン１２２ｃが操作された場合、検出手段１２２ａの検出位置を原点セットする。そして、制御手段１２２ｇは、スライダ１２１ｃの移動に伴って検出手段１２２ａが測定値を検出した場合に、当該測定値を表示手段１２２ｂに表示する。ここで、制御手段１２２ｇは、操作ボタン１２２ｃが操作された場合に、当該測定値の表示をホールドする。さらに、制御手段１２２ｇは、送信ボタン１２２ｆが操作された場合に、ホールドしてある測定値に予め設定した識別情報を関連付け、送信手段１２２ｄを介して当該測定値をデータとして送信する。
【００２３】
図４は空気量・温度検査装置１３を示す概略図である。ここで、空気量とはコンクリートＣに含まれる空気含有量であり、温度とはコンクリートＣの温度である。
【００２４】
空気量・温度検査装置１３は、図４に示す検査具１３１を有している。検査具１３１は、加圧・密閉式の容器からなる。この検査具１３１は、容器内にコンクリートＣを収容し、当該容器内に圧力を加えることで、コンクリートＣの中の空気を収縮させる。
【００２５】
また、空気量・温度検査装置１３は、図１に示すように上記検査具１３１におけるコンクリートＣの中の空気の収縮を利用して空気量を検出する空気量検出手段１３２ａ、容器内でのコンクリートＣの温度を検出する温度検出手段１３２ｂ、各検出手段１３２ａ，１３２ｂで検出した測定値を表示する表示手段１３２ｃ、表示ホールドなどの機能を入力する操作ボタン１３２ｄ、各検出手段１３２ａ，１３２ｂで検出した測定値をデータとして送信する送信手段１３２ｅ、送信手段１３２ｅで送信する測定値に関連付ける識別情報（ＩＤナンバー）を設定する設定ボタン１３２ｆ、および送信を実行させる送信ボタン１３２ｇを有し、これらを制御手段１３２ｈによって制御する。
【００２６】
すなわち、空気量・温度検査装置１３において制御手段１３２ｈは、上記検査具１３１での容器内の加圧によって空気量検出手段１３２ａがコンクリートＣの空気量である測定値を検出した場合に、当該測定値を表示手段１３２ｃに表示する。また、制御手段１３２ｈは、温度検出手段１３２ｂが上記検査具１３１での容器内の加圧によって空気量検出手段１３２ａがコンクリートＣの温度である測定値を検出した場合に、当該測定値を表示手段１３２ｃに表示する。ここで、制御手段１３２ｈは、操作ボタン１３２ｄが操作された場合に、当該測定値の表示をホールドする。さらに、制御手段１３２ｈは、送信ボタン１３２ｇが操作された場合に、ホールドしてある測定値に予め設定した識別情報を関連付け、送信手段１３２ｅを介して当該測定値をデータとして送信する。
【００２７】
塩化物量検査装置１４は、コンクリートＣ中に含まれる塩化物量を測定するものであって、図には明示しないが検査具を有している。この検査具は、一定容積のコンクリートに、濃度が判明している食塩水を添加・混合し、混合前と混合後のろ液を採取して、当該ろ液に希釈された塩分濃度を測定して演算する。
【００２８】
また、塩化物量検査装置１４は、図１に示すように上記検査具におけるコンクリートＣ中の塩化物量を検出する塩化物量検出手段１４２ａ、塩化物量検出手段１４２ａで検出した測定値を表示する表示手段１４２ｂ、表示ホールドなどの機能を入力する操作ボタン１４２ｃ、塩化物量検出手段１４２ａで検出した測定値をデータとして送信する送信手段１４２ｄ、送信手段１４２ｄで送信する測定値に関連付ける識別情報（ＩＤナンバー）を設定する設定ボタン１４２ｅ、および送信を実行させる送信ボタン１４２ｆを有し、これらを制御手段１４２ｇによって制御する。
【００２９】
すなわち、塩化物量検査装置１４において制御手段１４２ｇは、上記検査具での検査によって塩化物量検出手段１４２ａがコンクリートＣ中の塩化物量である測定値を検出した場合に、当該測定値を表示手段１４２ｂに表示する。ここで、制御手段１４２ｇは、操作ボタン１４２ｃが操作された場合に、当該測定値の表示をホールドする。さらに、制御手段１４２ｇは、送信ボタン１４２ｆが操作された場合に、ホールドしてある測定値に予め設定した識別情報を関連付け、送信手段１４２ｄを介して当該測定値をデータとして送信する。なお、塩化物量の測定が複数回行う場合、制御手段１４２ｇは、各測定値に予め設定した識別情報をそれぞれ関連付けて送信手段１４２ｄを介して当該測定値をデータとして送信する。
【００３０】
外気温度検査装置１５は、コンクリート検査を行う周囲の温度を測定するものであって、図１に示すように外気温度を検出する外気温度検出手段１５２ａ、外気温度検出手段１５２ａで検出した測定値を表示する表示手段１５２ｂ、表示ホールドなどの機能を入力する操作ボタン１５２ｃ、外気温度検出手段１５２ａで検出した測定値をデータとして送信する送信手段１５２ｄ、送信手段１５２ｄで送信する測定値に関連付ける識別情報（ＩＤナンバー）を設定する設定ボタン１５２ｅ、および送信を実行させる送信ボタン１５２ｆを有し、これらを制御手段１５２ｇによって制御する。
【００３１】
すなわち、外気温度検査装置１５において制御手段１５２ｇは、外気温度検出手段１５２ａが外気温度である測定値を検出した場合に、当該測定値を表示手段１５２ｂに表示する。ここで、制御手段１５２ｇは、操作ボタン１５２ｃが操作された場合に、当該測定値の表示をホールドする。さらに、制御手段１５２ｇは、送信ボタン１５２ｆが操作された場合に、ホールドしてある測定値に予め設定した識別情報を関連付け、送信手段１５２ｄを介して当該測定値をデータとして送信する。
【００３２】
データ処理装置２は、一般的なパーソナルコンピュータである。図１に示すようにデータ処理装置２は、情報処理を行う処理手段（ＣＰＵ）２０１、ＢＩＯＳなどを記憶した読出し専用メモリであるＲＯＭ２０２、各種データを書換え可能に記憶するＲＡＭ２０３、各種データベースとして機能するとともに各種のプログラムを格納する記憶手段２０４、検査装置１（１１，１２，１３，１４，１５）の送信手段１１２ｄ，１２２ｄ，１３２ｅ，１４２ｄ，１５２ｄから送信された測定値を無線によって受信する受信手段２０５、オペレータが処理手段２０１に命令や情報などを入力するためのキーボードやマウスなどの入力手段２０６、並びに検査結果などを表示する表示手段２０７から構成されており、これらの各部間でバス２０８を介してデータが送受される。なお、ＲＯＭ２０２およびＲＡＭ２０３は、一種の記憶手段として考えられる。
【００３３】
上記データ処理装置２は、コンクリート検査表示処理プログラムを記憶手段２０４に記憶している。コンクリート検査表示処理プログラムが起動すると、処理手段２０１は、当該コンクリート検査表示処理プログラムにしたがって、さらには入力手段２０６、受信手段２０５から入力されたデータにしたがって、表示手段２０７への表示動作を統括制御するものであり、図１に示す検査結果画面表示処理部３０１、付帯情報表示処理部３０２、測定値表示処理部３０３、保存処理部３０４、抽出処理部３０５を持つ。
【００３４】
検査結果画面表示処理部３０１は、オペレータの操作によって当該オペレータが所望する検査結果画面を表示する旨の入力が入力手段２０６から入力された場合に、表示手段２０７に検査結果画面を表示するものである。検査結果画面は、例えば図６に示すように建設現場における工事名、施工者名、打設年月日（時間）、コンクリート検査の立会者（現場係員や工事監理者）、打設箇所、コンクリートの生産工場名、コンクリートの配合、コンクリート検査における実測項目（車番）など、コンクリート検査に付帯する付帯情報が表示される表示領域を有する。さらに検査結果画面には、例えば図６に示すようにスランプ、コンクリートの空気量、コンクリート温度、スランプフロー、塩化物測定値、外気温など、コンクリート検査における検査項目の測定値が表示される表示領域がある。なお、スランプフローの検査項目においては、２箇所の広がり寸法Ｗ、およびその平均を並んで表示する表示領域がある。なお、コンクリートＣが比較的軟らかいときなど場合によっては、検査項目からスランプを外し、代わりにスランプフローにおける５０ｃｍ通過（到達）時間、および停止時間を検査項目とする。
【００３５】
ここで、スランプフローにおける５０ｃｍ通過（到達）時間、および停止時間は、スランプコーン（図示せず）を取り除いた時点で、スランプフロー検査装置１２に設けた図示しないストップウォッチ（計時手段）を始動させる。そして、検査具１２１によるコンクリートＣの基準面Ｓでの広がり寸法Ｗが５０ｃｍを通過したときにラップタイムとしてストップウォッチを作動させる。さらに、スランプフローの停止時にストップウォッチを止める。スランプフロー検査装置１２において制御手段１２２ｇは、送信ボタン１２２ｆが操作された場合に、ストップウォッチで測定した５０ｃｍ通過（到達）時間、および停止時間の測定値に予め設定した識別情報を関連付け、送信手段１２２ｄを介して当該測定値をデータとして送信する。
【００３６】
付帯情報表示処理部３０２は、オペレータの操作によって検査項目に付帯する付帯情報が入力手段２０６によって入力された場合に、入力された付帯情報を表示手段２０７に表示した検査結果画面の該当する表示領域に表示するものである。付帯情報表示処理部３０２による付帯情報の表示は、例えば工事名、施工者名、打設年月日（時間）、立会者、打設箇所、生産工場名、配合、実測項目などの順に入力を待ち、入力手段２０６によって入力があった場合にその表示を行い、その後全ての入力が行われるまで順次入力を待ってオペレータによる全ての付帯情報の入力を完了させる。他に、付帯情報表示処理部３０２による付帯情報の表示は、例えばオペレータが入力手段（マウス）２０６によって所望の付帯情報の表示領域を表示手段２０７に表示した検査結果画面上で選択し、その後入力手段（キーボード）２０６によって入力された付帯情報を選択された検査結果画面の該当する表示領域に表示する。
【００３７】
測定値表示処理部３０３は、検査装置１（１１，１２，１３，１４，１５）の送信手段１１２ｄ，１２２ｄ，１３２ｅ，１４２ｄ，１５２ｄから送信された測定値を受信した場合に、受信した測定値を表示手段２０７に表示した検査結果画面の該当する表示領域に表示するものである。ここで、検査装置１（１１，１２，１３，１４，１５）の送信手段１１２ｄ，１２２ｄ，１３２ｅ，１４２ｄ，１５２ｄから送信された測定値には、各検査装置１（１１，１２，１３，１４，１５）を識別する識別情報が関連付けられている。測定値表示処理部３０３では、この識別情報に基づいて共に受信手段２０５が受信した測定値がコンクリートのどの性状を示すものか、すなわちどの検査装置１（１１，１２，１３，１４，１５）で測定したものかを認識する。そして、表示手段２０７に表示した検査結果画面における検査項目の所定の表示領域に測定値を表示する。
【００３８】
保存処理部３０４は、オペレータの操作によって保存指令が与えられた場合に、表示手段２０７において検査結果画面の各表示領域に表示した付帯情報および測定値を互いに関連付けて記憶手段２０４に記憶させるものである。
【００３９】
抽出処理部３０５は、オペレータの操作によって付帯情報に基づく抽出指令が与えられた場合に、この抽出指令に基づいて同じ付帯情報に関わる測定値を記憶手段２０４から抽出して表示手段２０７に表示するものである。抽出した測定値は、例えば図９および図１０に示すように付帯情報である検査日時ごとに集計した集計情報として、他のプログラム（例えばＭｉｃｒｏｓｏｆｔ  Ｅｘｃｅｌ（登録商標））に転送することで表示手段２０７に表示させる。そして、上記他のプログラムにおいて、必要に応じて集計情報を保存する。
【００４０】
図５はデータ処理装置の処理手段２０１が実行する処理を示すフローチャート、図６〜図８はデータ処理装置の処理手段２０１の処理に応じた表示手段２０７における表示を示す図である。
【００４１】
先ず、図５に示すようにオペレータの操作によって当該オペレータが所望する検査結果画面を表示する旨の入力が入力手段２０６から入力された場合（ステップＳ１：Ｙｅｓ）、処理手段２０１は、検査結果画面表示処理部３０１の処理を実行して、表示手段２０７に図６で示すように検査結果画面を表示する（ステップＳ２）。次いで、オペレータの入力操作により、検査項目に付帯する付帯情報が入力手段２０６によって入力された場合（ステップＳ３：Ｙｅｓ）、処理手段２０１は、付帯情報表示処理部３０２の処理を実行して、入力された付帯情報を図７で示すように検査結果画面に組み込んで表示する（ステップＳ４）。次いで、検査装置１（１１，１２，１３，１４，１５）の送信手段１１２ｄ，１２２ｄ，１３２ｅ，１４２ｄ，１５２ｄから送信された測定値を受信した場合（ステップＳ５：Ｙｅｓ）、処理手段２０１は、測定値表示処理部３０３の処理を実行して、受信した測定値を図８で示すように検査結果画面に組み込んで表示する（ステップＳ６）。これにより、完成した検査結果画面が表示手段２０７に表示されることになる。
【００４２】
次いで、オペレータの操作によって検査結果画面を保存する旨の保存指令があった場合（ステップＳ７：Ｙｅｓ）、処理手段２０１は、保存処理部３０４の処理を実行して、検査結果画面で表示してある付帯情報と測定値とを関連付けて記憶手段２０４に記憶して保存する（ステップＳ８）。なお、保存指令がない場合には（ステップＳ７：Ｎｏ）、ステップＳ９に移行する。また、保存指令がなくても（ステップＳ７：Ｎｏ）、処理手段２０１は、一種の記憶手段であるＲＡＭ２０３に対し付帯情報と測定値とを関連付けて一時的に記憶してある。
【００４３】
ここで、コンクリート検査においては、検査装置１で検査を行っている場所に表示手段２０７を設置しておく。そして、検査を行っている状況と、表示手段２０７で表示されている検査結果画面とを、コンクリート検査の立会者とともに写真に写すことでコンクリート検査の記録とする。
【００４４】
このように、上述したコンクリート検査システムでは、検査装置１（１１，１２，１３，１４，１５）において検出したコンクリートの性状を示す測定値に、当該検査装置１（１１，１２，１３，１４，１５）を識別する識別情報を関連付けてデータ処理装置２に送信する。データ処理装置２は、検査装置１から測定値を受信した場合に、当該測定値に関連付いた識別情報に基づいてコンクリートの性状を認識し、表示手段に表示した検査結果画面の所定の表示領域に前記測定値を表示する。このため、コンクリート検査において、検査項目の測定値をオペレータが入力することがないことから、検査結果の誤記や誤入力または虚偽の行為を防いで、検査結果の信憑性や検査したコンクリートを用いた施工の信頼性を向上することができる。すなわち、建設現場などにおいてコンクリート検査が厳格に行われることで、コンクリートの品質がより安定し、かつ良好な性状のコンクリートを得ることが可能になる。加えて、コンクリートの生産側では、安定した品質で性状の良好なコンクリートを生産することで、品質や性状が劣り廃棄処分するコンクリートが減少することになる。
【００４５】
ところで、データ処理装置２の処理手段２０１は、コンクリート検査表示処理プログラムに従い、上記表示機能に加えて他の機能を有する。具体的には、図５に示すように測定値を集計する旨の抽出指令があった場合（ステップＳ９：Ｙｅｓ）、処理手段２０１は、抽出処理部３０５の処理を実行して、オペレータの操作によって記憶手段２０４に保存した（または一種の記憶手段であるＲＡＭ２０３に一時的に記憶した）同じ付帯情報に関わる測定値を記憶手段２０４から抽出する（ステップＳ１０）。なお、抽出指令がない場合には（ステップＳ９：Ｎｏ）、本処理を終了する。
【００４６】
集計情報としては、図９に示すように、コンクリートの検査を行った検査日時ごとに、例えば実測項目（車番）、スランプフロー、コンクリートの空気量、コンクリート温度、スランプフロー１箇所目（フロー１）、スランプフロー２箇所目（フロー２）、塩化物測定値、外気温があり、これらにおいてコンクリートＣの品質変動状況が示される。また、集計情報としては、図１０に示すように、コンクリートの検査を行った検査日時ごとに、例えばスランプフローにおいて品質変動状況が示される。なお、図１０において、「ＣＬ」はコンクリート検査における平均値であって、ここではスランプフローの平気値を表す。「ＵＣＬ」はコンクリート検査における上限管理値であって、ここではスランプフローの平均値＋３σ（標準偏差の３倍）もしくはスランプフローの上限設定値のうち小さい値を表す。「ＬＣＬ」はコンクリート検査における下限管理値であって、ここではスランプフローの平均値−３σ（標準偏差の３倍）もしくはスランプフローの下限設定値のうち大きい値を表す。「ＣＬ＋２σ」はコンクリート検査における平均値＋２σ（標準偏差の２倍）を表し、「ＣＬ−２σ」はコンクリート検査における平均値−２σ（標準偏差の２倍）を表す。なお、一般的には、上記平均値±２σの範囲内に検査結果が納まることが大半であるため、この平均値±２σを管理における目安値としているが、平均値±２σが上記上下限設定値を超えた場合には、この上下限設定値を目安値として表示する。
【００４７】
このように、検出した測定値を抽出して他のプログラムに転送することでコンクリートＣの品質変動状況の表示が可能になる。このため、常に建設現場に納入されたコンクリートＣの品質変動が直ちに把握できるため、コンクリートＣの打ち込み、締め固め、養生といた一連の実施工にフィードバックすることができる。
【００４８】
なお、上述した実施の形態において、図には明示しないがデータ処理装置２を各建設現場に設置しつつ、各々ネットワークを介してサーバ装置に接続し、データ処理装置２の記憶手段２０４に記憶したデータをサーバ装置に記録することで、各建設現場間で情報の共有化を図ることが可能である。
【図面の簡単な説明】
【００４９】
【図１】本発明に係るコンクリート検査システムを示す概略図である。
【図２】スランプ検査装置を示す概略図である。
【図３】スランプフロー検査装置を示す概略図である。
【図４】空気量・温度検査装置を示す概略図である。
【図５】データ処理装置の処理手段が実行する処理を示すフローチャートである。
【図６】データ処理装置の処理手段の処理に応じた表示手段における表示を示す図である。
【図７】データ処理装置の処理手段の処理に応じた表示手段における表示を示す図である。
【図８】データ処理装置の処理手段の処理に応じた表示手段における表示を示す図である。
【図９】コンクリートの品質変動状況が示された一例を示す図である。
【図１０】コンクリートの品質変動状況が示された一例を示す図である。
【符号の説明】
【００５０】
１    検査装置
１１    スランプ検査装置
１１１    検査具
１１１ａ    ベース
１１１ｂ    支柱
１１１ｃ    スライダ
１１１ｄ    アーム
１１２ａ    検出手段
１１２ｂ    表示手段
１１２ｃ    操作ボタン
１１２ｄ    送信手段
１１２ｅ    設定ボタン
１１２ｆ    送信ボタン
１１２ｇ    制御手段
１２    スランプフロー検査装置
１２１    検査具
１２１ａ    レール
１２１ｂ    第一アーム
１２１ｃ    スライダ
１２１ｄ    第二アーム
１２２ａ    検出手段
１２２ｂ    表示手段
１２２ｃ    操作ボタン
１２２ｄ    送信手段
１２２ｅ    設定ボタン
１２２ｆ    送信ボタン
１２２ｇ    制御手段
１３    空気量・温度検査装置
１３１    検査具
１３２ａ    空気量検出手段
１３２ｂ    温度検出手段
１３２ｃ    表示手段
１３２ｄ    操作ボタン
１３２ｅ    送信手段
１３２ｆ    設定ボタン
１３２ｇ    送信ボタン
１３２ｈ    制御手段
１４    塩化物量検査装置
１４２ａ    塩化物量検出手段
１４２ｂ    表示手段
１４２ｃ    操作ボタン
１４２ｄ    送信手段
１４２ｅ    設定ボタン
１４２ｆ    送信ボタン
１４２ｇ    制御手段
１５    外気温度検査装置
１５２ａ    外気温度検出手段
１５２ｂ    表示手段
１５２ｃ    操作ボタン
１５２ｄ    送信手段
１５２ｅ    設定ボタン
１５２ｆ    送信ボタン
１５２ｇ    制御手段
２    データ処理装置
２０１    処理手段
２０２    ＲＯＭ
２０３    ＲＡＭ
２０４    記憶手段
２０５    受信手段
２０６    入力手段
２０７    表示手段
２０８    バス
３０１    検査結果画面表示処理部
３０２    付帯情報表示処理部
３０３    測定値表示処理部
３０４    保存処理部
３０５    抽出処理部
Ｃ    コンクリート
Ｈ    コンクリートの下がり寸法
Ｗ    コンクリートの広がり寸法
Ｓ    基準面
【図１】
2008014826.tif 000003
【図２】
2008014826.tif 000004
【図３】
2008014826.tif 000005
【図４】
2008014826.tif 000006
【図５】
2008014826.tif 000007
【図６】
2008014826.tif 000008
【図７】
2008014826.tif 000009
【図８】
2008014826.tif 000010
【図９】
2008014826.tif 000011
【図１０】
2008014826.tif 000012